(57)【要約】　　　（修正有）【課題】３６０°調整機能を具えた支柱挟持具の提供。【解決手段】ラックの支柱と棚板３０との結合インタフェースとされる支柱挟持具１０において、二つの半環形の挟持片１１，１２が併合されてスリーブ型挟持具が形成され、支柱の適当な位置を挟持し、一方の挟持片の外側に円形のインタフェース平台１４があり、円形インタフェース平台の周縁に複数の位置決め凹孔１５が環状に配置され、インタフェース平台の中心にネジ孔１６が設けられて棚板側辺のＬ形板３１のボルト孔３２とのボルト１７による結合に供され、棚板と支柱挟持具が組み合わされて該Ｌ形板のボルト孔部分の外側に凸設された係止凸点３３がインタフェース平台の位置決め凹孔に係合することで棚板の支柱に対する角度が任意に調整、位置決めされることを特徴とする。【選択図】　　　　図２
0003098027.tif 000002
【実用新案登録請求の範囲】
【請求項１】
３６０°調整機能を具えた支柱挟持具において、支柱挟持具が支柱と棚板の結合インタフェース部品とされ、該支柱挟持具が対向するよう併合される二つの半環形の挟持片で組成され、そのうち一つの挟持片の外側に一体に円形のインタフェース平台が形成され、該インタフェース平台の周縁に複数の位置決め凹孔が環状に配置され、該インタフェース平台の中心にネジ孔が設けられ、該ネジ孔が支柱挟持具と棚板のボルトによる結合に供され、該棚板の結合側にＬ形板が組み付けられ、該Ｌ形板の所定の位置にボルト孔が設けられ、該ボルト孔の傍らのＬ形板の外縁面に二つの係止凸点が設けられ、Ｌ形板のボルト孔が支柱挟持具のインタフェース平台のネジ孔に対応させられてボルトで結合される時、これら係止凸点がインタフェース平台周縁の任意の二つの位置決め凹孔内に係合し、係止位置決めが達成され、該支柱挟持具のインタフェース平台周縁に環状配置された位置決め凹孔と棚板側辺のＬ形板外縁面の係止凸点の係合により棚板と支柱挟持具の相対関係が維持され、棚板のＬ形板の係止凸点がインタフェース平台の異なる位置の位置決め凹孔に係合調整されることにより、棚板と支柱の相対関係が改変されて棚板の傾斜角度調整機能が付与され、異なる使用要求に対応できることを特徴とする、３６０°調整機能を具えた支柱挟持具。
【請求項２】
請求項１記載の３６０°調整機能を具えた支柱挟持具において、支柱挟持具のインタフェース平台の位置決め凹孔に３６０°連続環状配設形態が採用され、棚板に３６０°の角度回転調整機能が付与されたことを特徴とする、３６０°調整機能を具えた支柱挟持具。
【考案の詳細な説明】
【０００１】
【考案の属する技術分野】
本考案は一種の３６０°調整機能を具えた支柱挟持具に係り、特に、挟持具がラックの支柱と棚板との結合インタフェースとされ、支柱挟持具のインタフェース平台周縁に環状に配設された位置決め凹孔と棚板側辺のＬ形板外側に設けられた係止凸点の係合により棚板と支柱の相対関係が維持され、並びに棚板のＬ形板の係止凸点が支柱挟持具のインタフェース平台の異なる位置の位置決め凹孔に係合されることで、棚板と支柱の相対関係が改変され、ラックの棚板に３６０°の角度回転調整機能が付与されるよう形成された３６０°調整機能を具えた支柱挟持具に関する。
【０００２】
【従来の技術】
一般に商品、物品の陳列展示にはラックが用いられ、このようなラックは多くが、両側の支柱に棚板を跨設してその基本構造が構成され、棚板が商品或いは物品の陳列に供されて展示効果を達成する。
【０００３】
このような商品或いは物品はそれ自身の内容、構造或いは観察角度により、傾斜形態で設置或いは陳列しなければならないことがあり、それによりその商品の特性を十分に示したり或いは良好な観察角度を提供できるようにしている。この状況にあって、伝統的なラックの水平形態の棚板は、適用上の問題を発生し、その全体の展示効果に影響が生じる。この問題を解決するため、直接棚板に斜面設計を採用するか、或いは傾斜角度を以て棚板を組み付ける方法が採用されている。しかしこのような設計は実際の使用上、以下のような問題を有している。
１．棚板に直接斜面設計を採用すると、その商品或いは物品を傾斜させて陳列できるが、その傾斜角度は固定されて調整不能であるため、一部の商品或いは物品に適した傾斜陳列角度が他の商品に対しては適当でないことがあり、展示に求められる適用性の問題を有しており、商品或いは物品陳列に要求される任意調整できる実用性を達成できない。
２．棚板に傾斜角度の組み合わせを採用すると、商品或いは物品の傾斜形態陳列の要求を解決でき、必要に応じてその組み合わせの傾斜角度を決定できるが、棚板と支柱の間に適当な位置決め構造がないため、ボルトの締めつけによる固定に完全に依存し、このため商品或いは物品が重過ぎたり、ボルトがゆるむと、棚板の角度が改変し、その上に置かれた商品或いは物品が落ちて毀損することがあり、ゆえにこのような方式は理想的な実施方式ではない。
【０００４】
【考案が解決しようとする課題】
周知のラックの棚板が必要に応じて傾斜角度を任意に調整し位置決めできない問題を鑑み、本考案は一種の支柱挟持具を提供し、それはラックの支柱と棚板との組み合わせのインタフェースとされ、棚板の支柱に対する角度を改変させることができ、棚板に必要に応じて任意に傾斜角度を調整できる機能を付与する支柱挟持具であるものとする。
【０００５】
本考案のもう一つの目的は、棚板に任意の角度調整機能を付与するほか、棚板の支柱に対する角度をしっかりと位置決めし維持できる支柱挟持具を提供することにある。
【０００６】
【課題を解決するための手段】
請求項１の考案は、３６０°調整機能を具えた支柱挟持具において、支柱挟持具が支柱と棚板の結合インタフェース部品とされ、該支柱挟持具が対向するよう併合される二つの半環形の挟持片で組成され、そのうち一つの挟持片の外側に一体に円形のインタフェース平台が形成され、該インタフェース平台の周縁に複数の位置決め凹孔が環状に配置され、該インタフェース平台の中心にネジ孔が設けられ、該ネジ孔が支柱挟持具と棚板のボルトによる結合に供され、該棚板の結合側にＬ形板が組み付けられ、該Ｌ形板の所定の位置にボルト孔が設けられ、該ボルト孔の傍らのＬ形板の外縁面に二つの係止凸点が設けられ、Ｌ形板のボルト孔が支柱挟持具のインタフェース平台のネジ孔に対応させられてボルトで結合される時、これら係止凸点がインタフェース平台周縁の任意の二つの位置決め凹孔内に係合し、係止位置決めが達成され、該支柱挟持具のインタフェース平台周縁に環状配置された位置決め凹孔と棚板側辺のＬ形板外縁面の係止凸点の係合により棚板と支柱挟持具の相対関係が維持され、棚板のＬ形板の係止凸点がインタフェース平台の異なる位置の位置決め凹孔に係合調整されることにより、棚板と支柱挟持具の相対関係が改変されて棚板の傾斜角度調整機能が付与され、異なる使用要求に対応できることを特徴とする、３６０°調整機能を具えた支柱挟持具としている。
請求項２の考案は、請求項１記載の３６０°調整機能を具えた支柱挟持具において、支柱挟持具のインタフェース平台の位置決め凹孔に３６０°連続環状配設形態が採用され、棚板に３６０°の角度回転調整機能が付与されたことを特徴とする、３６０°調整機能を具えた支柱挟持具としている。
【０００７】
【考案の実施の形態】
本考案によると、支柱挟持具を組成する二つの半環形の挟持片の一方に、円形のインタフェース平台が形成され、該インタフェース平台の周縁に複数の位置決め凹孔が環状に配置され、インタフェース平台の中心にネジ孔が設けられ、該ネジ孔が棚板側辺のＬ形板のボルト孔とのボルトによる結合に供されて棚板が支柱挟持具に組み合わされ、該Ｌ形板のボルト孔部分の外側に凸設された係止凸点がインタフェース平台の位置決め凹孔に選択係合させられることで棚板の支柱に対する角度が任意に調整、位置決めされる。
【０００８】
【実施例】
図１は本考案の構造表示図、図２は本考案の分解斜視図、図３、４は本考案の構造関係表示図である。これらの図に示されるように、本考案の支柱挟持具１０は、支柱２０と棚板３０の結合のインタフェース部品とされる。
【０００９】
該支柱挟持具１０は、二つの半環形の挟持片１１、１２が対向するよう併合されてなり、ボルト１３で結合されて支柱２０の適当な位置を挟持する。そのうち一方の挟持片１１の外側に一体に円形のインタフェース平台１４が設けられ、並びに該インタフェース平台１４の周縁に複数の位置決め凹孔１５が環状に配設され、インタフェース平台１４の中心にネジ孔１６が設けられて、該ネジ孔１６がボルト１７による棚板３０と支柱挟持具１０の螺子止めに供される。
【００１０】
該棚板３０はその結合側にＬ形板３１が設けられ、該Ｌ形板３１の所定の位置にボルト孔３２が設けられ、並びにボルト孔３２の傍らのＬ形板３１の外端面に二つの係止凸点３３が設けられ、Ｌ形板３１のボルト孔３２が支柱挟持具１０のインタフェース平台１４のネジ孔１６に対応させられ並びにボルト１７により結合される時、これら係止凸点３３がインタフェース平台１４の周縁の任意の二つの位置決め凹孔１５内に係合し、係止位置決め効果が得られる。
【００１１】
以上の構造設計により、本考案は支柱挟持具１０に支柱２０の所定の位置を挟持させた後に、ボルト１７を棚板３０側辺のＬ形板３１のボルト孔３２に通して支柱挟持具１０のインタフェース平台１４の中心のネジ孔１６にねじ込み、棚板３０と支柱挟持具１０の螺子止めを完成し、並びにＬ形板３１の係止凸点３３と支柱挟持具１０のインタフェース平台１４の周縁の位置決め凹孔１５の係合位置決めにより、棚板３０と支柱２０との相対関係を維持し、Ｌ形板３１と支柱挟持具１０を締結するボルト１７をゆるめれば、任意に棚板３０の角度を調整してそのＬ形板３１の係止凸点３３と支柱挟持具１０のインタフェース平台１４の異なる位置決め凹孔１５を係合させることができ、これにより棚板３０の傾斜角度調整が行え、さらに支柱挟持具１０の位置決め凹孔１５の位置決め凹孔１５に３６０°の連続環状配置形態が採用されたことにより、棚板３０に３６０°の角度調整機能が付与され、これにより各種の異なる角度の商品或いは物品の陳列展示要求に対応する。並びにそのＬ形板３１の係止凸点３３と支柱挟持具１０のインタフェース平台１４の位置決め凹孔１５の係合位置決めにより有効に棚板３０の傾斜形態を維持でき、外力作用或いは設置商品、物品の過重による棚板の傾斜角度改変を防止でき、極めて良好な実用価値を達成している。
【００１２】
次に図５、６に実施表示図を参照されたい。図示されるように、本考案は支柱挟持具１０の構造設計により、支柱挟持具１０が支柱２０と棚板３０の結合インタフェース部品とされた後、これら棚板３０に３６０°の角度回転調整機能が付与され、これにより実際の運用実施上、その他の支柱２０と結合でき、二つの隣り合う支柱２０、２０’にそれぞれ対応する形態の支柱挟持具１０、１０’が設けられ、二つの対応する支柱挟持具１０、１０’の間に棚板３０が組み付けられ、棚板３０が両側のＬ形板３１、３１’と支柱挟持具１０、１０’の結合関係により傾斜角度調整機能を獲得し、多層の棚板３０、３０’が組み付けられて、異なる商品或いは物品の異なる陳列要求に対応して各層の棚板３０、３０’が異なる傾斜角度に調整される（図５参照）。或いは、単一支柱のラックに運用され、単一の支柱２０の所定の位置に本考案の支柱挟持具１０が取り付けられた後に、さらに棚板３０が結合され、棚板３０の単側のＬ形板３１と支柱挟持具１０の結合関係により、棚板３０に回転傾斜角度調整機能が付与され、複数の棚板３０、３０’が異なる陳列要求に対応して異なる角度に調整可能とされ、これにより良好な産業上の利用価値と実用価値を達成している。
【００１３】
【考案の効果】
以上の説明から分かるように、本考案は支柱挟持具の一側のインタフェース平台の周縁に設けられた位置決め凹孔に棚板側辺のＬ形板の外縁面の係止凸点が係合され、任意にＬ形板の係止凸点と支柱挟持具のインタフェース平台の位置決め凹孔の係合位置が調整される構造により、棚板角度を強固に維持し、外力作用或いは設置される物品、商品の過重による棚板角度改変を発生せず、有効に周知の同類の製品に存在する多くの欠点を解決し、その産業上の利用性と実用価値が高められている。
【００１４】
総合すると、本考案のラックの棚板の角度調整のために新規な支柱挟持具を提供し、それは棚板に３６０°回転角度調整機能を付与するほか、棚板の傾斜角度をしっかりと維持でき、各種の商品或いは物品の異なる陳列展示要求に対応でき、大幅にその全体の実用価値が高められ、全体として、良好な産業上の利用価値を有している。
【図面の簡単な説明】
【図１】本考案の支柱挟持具を運用したラックの斜視図である。
【図２】本考案の局部分解斜視図である。
【図３】本考案の局部構造関係表示図である。
【図４】本考案の棚板傾斜角度調整時の構造関係表示図である。
【図５】本考案の実施例表示図である。
【図６】本考案の別の実施例表示図である。
【符号の説明】
１０、１０’　支柱挟持具
１１、１２　挟持片
１３　ボルト
１４　インタフェース平台
１５　位置決め凹孔
１６　ネジ孔
１７　ボルト
２０、２０’　支柱
３０、３０’　棚板
３１、３１’　Ｌ形板
３２　ボルト孔
３３　係止凸点
【図１】
0003098027.tif 000003
【図２】
0003098027.tif 000004
【図３】
0003098027.tif 000005
【図４】
0003098027.tif 000006
【図５】
0003098027.tif 000007
【図６】
0003098027.tif 000008